(57)【要約】【課題】メンバーによる解錠を一時的に制限できる電動式サムターン錠を提供することである。【解決手段】電動モータを駆動するマイクロコンピュータ８の制御回路１６に、電動モータによる解錠を禁止するロックアウトプログラム１６ａを組み込んで、ロックアウトプログラム１６ａを作動状態と不作動状態に誘導する静電スイッチ１２を設け、作動誘導状態または不作動誘導状態でリーダ１１がＩＣチップの特定者であることを識別する特定の固有情報を読み取ったときに、ロックアウトプログラム１６ａを作動状態または不作動状態とすることにより、ロックアウトプログラム１６ａを作動状態としたときに、メンバーによる解錠を一時的に制限できるようにした。【選択図】図４
2011226120.tif 000002
【特許請求の範囲】
【請求項１】
デッドボルトを出没させて解施錠するサムターンと、サムターンを操作する電動アクチュエータと、ＩＣチップに書き込まれた固有情報を読み取るリーダと、このリーダで読み取られた固有情報を照合して、少なくとも解錠するように前記電動アクチュエータを駆動する制御装置とを設けた電動式サムターン錠において、前記電動アクチュエータを駆動する制御装置の制御回路に、電動アクチュエータによる解錠を禁止するロックアウトプログラムを組み込み、このロックアウトプログラムを作動状態に誘導する作動誘導スイッチと、ロックアウトプログラムを不作動状態に誘導する不作動誘導スイッチを設け、前記作動誘導スイッチが入りの状態で前記リーダが前記ＩＣチップの特定の固有情報を読み取ったときに、前記ロックアウトプログラムを作動状態とし、前記不作動誘導スイッチが入りの状態で前記リーダが前記特定の固有情報を読み取ったときに、前記ロックアウトプログラムを不作動状態とするようにしたことを特徴とする電動式サムターン錠。
【請求項２】
前記ＩＣチップを、前記リーダと接触させない非接触型のデバイスに装着した請求項１に記載の電動式サムターン錠。
【請求項３】
前記作動誘導スイッチと不作動誘導スイッチの少なくともいずれかを、扉の外側に向けられて触れられる静電スイッチとした請求項１または２に記載の電動式サムターン錠。
【請求項４】
前記作動誘導スイッチと不作動誘導スイッチを共通の前記静電スイッチとし、これらの作動誘導スイッチと不作動誘導スイッチを入りとするときに、前記静電スイッチに触れるパターンを互いに異なるものとした請求項３に記載の電動式サムターン錠。
【請求項５】
前記静電スイッチに触れるパターンを、触れる回数、触れる時間、またはこれらの回数と時間を組み合わせたものに設定した請求項４に記載の電動式サムターン錠。
【発明の詳細な説明】
【技術分野】
【０００１】
本発明は、サムターンを電動アクチュエータで操作する電動式サムターン錠に関する。
【背景技術】
【０００２】
デッドボルトを出没させて解施錠するサムターンと、サムターンを操作する電動モータ等の電動アクチュエータを備えた電動式サムターン錠には、セキュリティ性能を高めるために、ＩＣ(Integrated Circuit)チップに書き込まれた固有情報を読み取るリーダを設けて、リーダで読み取られた固有情報を照合し、電動アクチュエータを駆動する制御装置を設けて、ＩＣチップを装着したＩＣカード等のデバイスの所持者のみが解錠できるようにしたものがある（例えば、特許文献１、２参照）。
【０００３】
前記ＩＣチップを装着したＩＣカード等のデバイスには、リーダに接触させて固有情報を読み取らせる接触型のものと、リーダに接触させずに固有情報を読み取らせる非接触型のものとがあり、特許文献１、２に記載されたものは、いずれも非接触型のＩＣカードや携帯電話等のデバイスを用いるようにしている。特許文献２に記載されたものは、電子マネーや定期券等として使用されるＩＣカードも使用できるようにしている。
【０００４】
前記非接触型のデバイスを用いる電動式サムターン錠は、リーダを露出しないように配置することができるので、リーダを露出させる必要のある接触型のデバイスを用いるものよりもシステム破壊等に対する安全性が高く、耐久性も優れている。このため、近年は、新設のものの他に手動式のサムターン錠を改造するものも含めて、非接触型のデバイスを用いるものが増加している。なお、手動式のサムターン錠を改造する場合は、解施錠するシリンダ錠を組み込んだ把手を流用することも多い。
【０００５】
前記非接触型のデバイスに装着されるＩＣチップは、固有情報が書き込まれた電子回路と、リーダから発信される電波を受信して、電子回路に書き込まれた固有情報を送信するアンテナ素子とからなり、ＩＣチップを装着したＩＣカード等のデバイスをリーダに向けて翳すことにより、リーダによって固有情報が読み取られ、サムターン錠が解錠される。なお、施錠については、解錠と同様に、ＩＣカード等のデバイスを翳すことにより行うものと、扉を閉じたときに自動的に施錠されるオートロック式のものとがある。通常、ＩＣカード等のデバイスは、電動式サムターン錠を取り付けた建屋や部屋を利用する社員や家族等の複数のメンバーが所持する。
【先行技術文献】
【特許文献】
【０００６】
【特許文献１】特開２００２−３６４２２０号公報
【特許文献２】特開２００９−２７０３６６号公報
【発明の概要】
【発明が解決しようとする課題】
【０００７】
特許文献１、２に記載された従来の電動式サムターン錠は、ＩＣカード等のデバイスを所持するメンバー全員がいつでも解錠することができる。このため、例えば、会社等で夜間や休日等の立ち入りを禁止するときに、メンバーによる解錠を阻止することができず、機密管理等に支障を来たす問題がある。近年、このように、メンバーによる解錠を一時的に制限したいという要求が増加している。
【０００８】
そこで、本発明の課題は、メンバーによる解錠を一時的に制限できる電動式サムターン錠を提供することである。
【課題を解決するための手段】
【０００９】
上記の課題を解決するために、本発明は、デッドボルトを出没させて解施錠するサムターンと、サムターンを操作する電動アクチュエータと、ＩＣチップに書き込まれた固有情報を読み取るリーダと、このリーダで読み取られた固有情報を照合して、少なくとも解錠するように前記電動アクチュエータを駆動する制御装置とを設けた電動式サムターン錠において、前記電動アクチュエータを駆動する制御装置の制御回路に、電動アクチュエータによる解錠を禁止するロックアウトプログラムを組み込み、このロックアウトプログラムを作動状態に誘導する作動誘導スイッチと、ロックアウトプログラムを不作動状態に誘導する不作動誘導スイッチを設け、前記作動誘導スイッチが入りの状態で前記リーダが前記ＩＣチップの特定の固有情報を読み取ったときに、前記ロックアウトプログラムを作動状態とし、前記不作動誘導スイッチが入りの状態で前記リーダが前記特定の固有情報を読み取ったときに、前記ロックアウトプログラムを不作動状態とする構成を採用した。
【００１０】
すなわち、電動アクチュエータを駆動する制御装置の制御回路に、電動アクチュエータによる解錠を禁止するロックアウトプログラムを組み込み、このロックアウトプログラムの作動誘導スイッチと不作動誘導スイッチを設け、作動誘導スイッチまたは不作動誘導スイッチが入りの状態でリーダがＩＣチップの特定の固有情報を読み取ったときに、ロックアウトプログラムを作動状態または不作動状態とすることにより、必要に応じて、特定の固有情報が書き込まれたＩＣチップを装着したデバイスの所持者がロックアウトプログラムを作動状態または不作動状態として、ロックアウトプログラムを作動状態としたときに、メンバーによる解錠を一時的に制限できるようにした。
【００１１】
前記ＩＣチップを、前記リーダと接触させない非接触型のデバイスに装着することにより、システム破壊等に対する安全性と耐久性が優れたものとすることができる。非接触型のデバイスとしては、ＩＣカードの他に携帯電話等も用いることができる。
【００１２】
前記作動誘導スイッチと不作動誘導スイッチの少なくともいずれかを、扉の外側に向けられて触れられる静電スイッチとすることにより、静電スイッチに扉の外側から触れるのみで、作動誘導スイッチや不作動誘導スイッチを入れることができる。
【００１３】
前記作動誘導スイッチと不作動誘導スイッチを共通の前記静電スイッチとし、これらの作動誘導スイッチと不作動誘導スイッチを入りとするときに、前記静電スイッチに触れるパターンを互いに異なるものとすることにより、スイッチの数を減らして、コンパクトに設計することができる。
【００１４】
前記静電スイッチに触れるパターンは、触れる回数、触れる時間、またはこれらの回数と時間を組み合わせたものに設定するとよい。
【発明の効果】
【００１５】
本発明に係る電動式サムターン錠は、電動アクチュエータを駆動する制御装置の制御回路に、電動アクチュエータによる解錠を禁止するロックアウトプログラムを組み込み、このロックアウトプログラムの作動誘導スイッチと不作動誘導スイッチを設け、作動誘導スイッチまたは不作動誘導スイッチが入りの状態でリーダがＩＣチップの特定の固有情報を読み取ったときに、ロックアウトプログラムを作動状態または不作動状態とするようにしたので、必要に応じて、特定の固有情報が書き込まれたＩＣチップを装着したデバイスの所持者がロックアウトプログラムを作動状態または不作動状態として、ロックアウトプログラムを作動状態としたときに、メンバーによる解錠を一時的に制限することができる。
【図面の簡単な説明】
【００１６】
【図１】電動式サムターン錠の実施形態を示す一部切欠き縦断面図
【図２】図１の扉の外側からの斜視図
【図３】図１の電動式サムターン錠の電気系統図
【図４】図３のマイクロコンピュータの制御ブロック図
【図５】（ａ）、（ｂ）は、それぞれ図４の制御回路のロックアウトプログラムを作動状態と不作動状態とするときのフローチャート
【発明を実施するための形態】
【００１７】
以下、図面に基づき、本発明の実施形態を説明する。この電動式サムターン錠は手動式のサムターン錠を改造したものであり、図１および図２に示すように、シリンダ錠１が組み込まれた把手２と、扉Ａのフロント面から出没するデッドボルト３を備え、扉Ａの内側に取り付けられた駆動ケース４に、デッドボルト３を出没させて解施錠するサムターン５と、サムターン５を操作する電動アクチュエータとしての電動モータ６が設けられ、その上側に取り付けられた制御ケース７に、電動モータ６を駆動する制御装置としてのマイクロコンピュータ８と、電源となる電池９が組み込まれている。なお、この電動式サムターン錠はオートロック式とすることができ、その場合は扉Ａが閉じたときに自動的に施錠される。
【００１８】
前記電動モータ６は、デッドボルト３を出没させるサムターン５の駆動軸５ａに、歯車伝達機構（図示省略）で回転を伝達する。サムターン５の駆動軸５ａにはシリンダ錠１も連結されており、電池切れ等の非常時には、シリンダ錠１で解施錠することもできる。通常時は、シリンダ錠１の鍵は別途に保管され、使用されない。
【００１９】
前記扉Ａの外側の把手２の周りを覆う樹脂製の把手カバー１０の中には、ＲＦＩＤ（Radio Frequency Identification）アンテナ１１ａを有するリーダ１１が収納され、図２中に一点鎖線で示すように、非接触型のデバイスであるＩＣカード２０をリーダ１１に向けて翳すことにより、ＩＣカード２０に埋設して装着されたＩＣチップ（図示省略）に書き込まれた固有情報が無線で読み取られるようになっている。また、把手カバー１０の前面上側には、後述するマイクロコンピュータ８の制御回路１６に組み込まれたロックアウトプログラム１６ａを作動状態または不作動状態とするように誘導する静電スイッチ１２が組み込まれている。リーダ１１と静電スイッチ１２は、信号ケーブル１３で扉Ａの内側の制御ケース７内のマイクロコンピュータ８に接続されている。
【００２０】
前記ＩＣカード２０は各メンバーが所持できるように複数枚用意され、そのＩＣチップにはメンバーであることを識別するための固有情報が書き込まれている。また、特定の者が所持するＩＣカード２０ａの特定の固有情報は、後述する照合プログラム１６ｂによって、所持者が特定者であることを識別されるようになっている。
【００２１】
図３は、上述した電動式サムターン錠の電気系統図を示す。前記マイクロコンピュータ８には、リーダ１１と静電スイッチ１２の出力が入力され、電動モータ６に解錠信号を出力するようになっている。また、電池９の電力は、電源回路１４を介して、電動モータ６、マイクロコンピュータ８、リーダ１１および静電スイッチ１２に供給される。電源回路１４には、外部電源供給回路１５も接続できるようになっている。
【００２２】
図４は、前記マイクロコンピュータ８の制御ブロック図を示す。マイクロコンピュータ８には、電動モータ６を解錠するように駆動する制御回路１６と、リーダ１１で読み取られる固有情報を照合するためのデータを記憶するメモリ１７が設けられている。制御回路１６には、電動モータ６による解錠を禁止するロックアウトプログラム１６ａと、リーダ１１で読み取られた固有情報をメモリ１７に記憶されたデータと照合する照合プログラム１６ｂが組み込まれている。
【００２３】
前記ロックアウトプログラム１６ａは、通常時は不作動状態とされ、ＩＣカード２０を所持する一般のメンバーによる解錠を制限するときのみ、後述するように作動状態とされる。従って、通常時は照合プログラム１６ｂのみが作動し、リーダ１１で読み取られたＩＣカード２０の固有情報がメモリ１７に記憶されたデータと合致すれば、マイクロコンピュータ８は電動モータ６に解錠信号を出力する。
【００２４】
図５（ａ）は、前記ロックアウトプログラム１６ａを作動状態とするときの制御フローチャートを示す。まず、静電スイッチ１２に３回（２回目は２秒以上）触れると、ロックアウトプログラム１６ａが作動誘導状態となり、この状態で特定の固有情報が書き込まれたＩＣチップを装着したＩＣカード２０ａをリーダ１１に翳すと、リーダ１１で読み取られたＩＣカード２０ａの特定の固有情報が照合プログラム１６ｂによって照合され、特定の固有情報がメモリ１７に記憶されたデータと合致すると、ロックアウトプログラム１６ａが作動状態となる。従って、このときは一般のメンバーのＩＣカード２０による解錠ができなくなる。
【００２５】
図５（ｂ）は、前記ロックアウトプログラム１６ａを不作動状態とするときの制御フローチャートを示す。この場合は、まず、静電スイッチ１２に２回（２回目は２秒以上）触れると、ロックアウトプログラム１６ａが不作動誘導状態となり、この状態で、同様に特定の固有情報が書き込まれたＩＣチップを装着したＩＣカード２０ａをリーダ１１に翳すと、リーダ１１で読み取られたＩＣカード２０ａの特定の固有情報が照合プログラム１６ｂによって照合され、特定の固有情報がメモリ１７に記憶されたデータと合致すると、ロックアウトプログラム１６ａが不作動状態となって、いずれのＩＣカード２０、２０ａによっても解錠が可能になる。
【００２６】
なお、前記ロックアウトプログラム１６ａを作動誘導状態と不作動誘導状態とするときに、静電スイッチ１２に触れるパターンは、互いに異なるパターンであればよく、任意に設定することができる。
【００２７】
上述した実施形態では、電動式サムターン錠を、手動式のサムターン錠を改造したオートロックが可能なものとし、解錠のときにのみＩＣカードを使用するようにしたが、オートロック式でなく、施錠のときにもＩＣカードを使用するようにしてもよい。また、新設する場合は、把手にシリンダ錠を組み込まなくてもよい。
【００２８】
上述した実施形態では、ＩＣチップを装着したデバイスを鍵専用のＩＣカードとしたが、このＩＣカードは電子マネーや定期券等に使用されるＩＣカードと共用のものとすることもでき、ＩＣカードの他に携帯電話等とすることもできる。
【００２９】
上述した実施形態では、ロックアウトプログラムを作動状態と不作動状態に誘導する各スイッチを共通の静電スイッチとしたが、これらのスイッチは押し釦スイッチ等の他のスイッチとすることもでき、各スイッチを別々のスイッチとすることもできる。
【符号の説明】
【００３０】
１  シリンダ錠
２  把手
３  デッドボルト
４  駆動ケース
５  サムターン
５ａ  駆動軸
６  電動モータ
７  制御ケース
８  マイクロコンピュータ
９  電池
１０  把手カバー
１１  リーダ
１１ａ  ＲＦＩＤアンテナ
１２  静電スイッチ
１３  信号ケーブル
１４  電源回路
１５  外部電源供給回路
１６  制御回路
１６ａ  ロックアウトプログラム
１６ｂ  照合プログラム
１７  メモリ
２０、２０ａ  ＩＣカード
【図１】
2011226120.tif 000003
【図２】
2011226120.tif 000004
【図３】
2011226120.tif 000005
【図４】
2011226120.tif 000006
【図５】
2011226120.tif 000007